(57)【特許請求の範囲】
【請求項１】
少なくとも照明器具を含む複数の端末と；
端末の少なくともアドレスを含む端末情報を記憶した記憶手段および端末を制御する制御手段を有する制御装置と；
制御装置から読み込んだ１台分の端末情報と、端末情報が未割当の制御ポイントを予め配置した照明エリアのレイアウト図とが共に表示部に表示された場合に、この制御ポイントが選択されたときに、この制御ポイントに、表示中の１台分の端末情報を割り当てる割当手段を有し、前記表示部に表示中の端末情報の制御ポイントへの割当が終了したときに、その割当後の端末情報を表示部から消去する一方、次の端末情報を表示部に表示する表示切替手段を、有する設定器と；
を具備していることを特徴とする照明制御システム。
【請求項２】
設定器は、端末を制御する制御信号を制御装置に与えて、この端末を制御する端末制御手段を、具備していることを特徴とする請求項１記載の照明制御システム。
【請求項３】
前記設定器は、端末情報が割当て済みの制御ポイントを未割当の制御ポイントに戻すと共に、未割当にされた一台分の端末情報を表示部に再表示する再表示手段を、具備していることを特徴とする請求項１または２に記載の照明制御システム。
【発明の詳細な説明】
【技術分野】
【０００１】
本発明の実施形態は、照明制御システムに関する。
【背景技術】
【０００２】
一般に、この種の照明制御システムとしては、制御装置（コントローラ）に、照明器具や人感センサ、壁スイッチ等のスイッチを、被制御端末として信号線により電気的に接続し、照明器具の点，消灯や調光を制御装置により制御するものが知られている（例えば、特許文献１参照）。
【０００３】
そして、この種の照明制御システムでは、制御装置に設定器を接続し、この設定器の表示部に表示された建屋内部等のレイアウト図の所定の照明エリア上に、照明器具等の種々の制御監視ポイントであることを示すアイコンを配置することにより、照明器具や人感センサ等の端末（被制御端末）の位置（アドレス）と制御方法を特定した端末情報を、レイアウト図上に配置されているアイコンに割り当てている。
【先行技術文献】
【特許文献】
【０００４】
【特許文献１】特開平１１−２５１０７２号公報
【発明の概要】
【発明が解決しようとする課題】
【０００５】
しかしながら、このような従来の照明制御システムでは、設定器により建屋等のレイアウト図上にアイコンを配置して端末情報を割り当てる割当作業の効率が低いという課題がある。
【０００６】
本発明は、制御装置により制御される端末の端末情報を制御ポイントに割り当てる割当作業の容易性の向上を図った照明制御システムを提供することにある。
【課題を解決するための手段】
【０００７】
本発明の実施形態によれば、少なくとも照明器具を含む複数の端末と、端末の少なくともアドレス、種別、グループ番号を含む端末情報を記憶した記憶手段および端末を制御する制御手段を有する制御装置と、を具備している。
【０００８】
また、本発明の実施形態によれば、制御装置の記憶手段から読み込んだ一台分の端末情報と、端末情報が未割当の制御ポイントを予め配置した照明エリアのレイアウト図とが共に表示部に表示された場合に、この制御ポイントが選択されたときに、この制御ポイントに、表示中の一台分の端末情報を割り当てる割当手段を有し、前記表示部に表示中の端末情報の制御ポイントへの割当が終了したときに、その割当後の端末情報を表示部から消去する一方、次の端末情報を表示部に表示する表示切替手段を、有する設定器と、を具備している。
【発明の効果】
【０００９】
本発明の実施形態によれば、制御装置により制御される端末の端末情報を制御ポイントに割り当てる割当作業の容易性の向上を図ることができる。
【図面の簡単な説明】
【００１０】
【図１】本発明の一実施形態に係る照明制御システムの構成を示すブロック図。
【図２】図１で示すコントローラのメモリに記憶されている端末情報のデータテーブルを示す図。
【図３】図１で示す設定器のモニタ（表示部）に表示される端末情報の一例を示す図。
【図４】未割当のアイコン（制御ポイント）が予め配置された照明エリアのレイアウト図と端末情報が共に表示部に表示されたときの表示の一例を示す図。
【図５】図１で示す設定器により、コントローラから読み込んだ端末情報を未割当のアイコンに割り当てる割当用プログラムのフローチャート。
【図６】図１で示す設定器により設定された設定後の設定情報のデータテーブルを示す図。
【発明を実施するための形態】
【００１１】
以下、本発明の実施形態を添付図面に基づいて説明する。なお、これら添付図面中、同一または相当部分には同一符号を付している。
【００１２】
図１は本発明の第１の実施形態に係る照明制御システム１の全体構成を示すブロック図である。この図１に示すように照明制御システム１は、制御装置の一例であるコントローラ２と、複数の照明器具３，３，…、人感センサ４、光センサ５、壁スイッチ６等の端末（被制御端末）と、設定器７とを具備している。
【００１３】
照明制御システム１は、所要の建屋８内に配設され、コントローラ２に、伝送信号線９を介して、複数の照明器具３，３，…、人感センサ４、光センサ５、壁スイッチ６を双方向データ通信可能に接続している。すなわち、照明制御システム１は、建屋８内のフロア毎等や、所要の照明エリア毎にそれぞれ配設されたコントローラ２と、所要の照明エリア毎に配設された蛍光灯やＬＥＤ（発光ダイオード）ランプ、電球等の複数の照明器具３，３，…、これら照明器具３，３，…を所要の照明エリア毎に点，消灯制御（ＯＮ／ＯＦＦ）や調光制御をそれぞれ行なう壁スイッチ６等のスイッチ、所要の照明エリア毎に配設された人の有無をそれぞれ検出する人感センサ４、照明エリアの明るさを検出する光センサ５を具備している。これら各照明器具３、人感センサ４、光センサ５、壁スイッチ６のアドレスとグループ番号は、コントローラ２の制御対象である端末の端末情報としてコントローラ２の記憶装置（記憶手段）に記録されている。
【００１４】
図１に示すように、人感センサ４、光センサ５および壁スイッチ６は、例えばＬＥＤ（発光ダイオード）ランプや豆電球等からなる赤色等所要色の表示用ランプ４ａ，５ａ，６ａをそれぞれ具備している。これら表示用ランプ４ａ，５ａ，６ａは、コントローラ２からの点灯制御信号と消灯制御信号とにより点灯または消灯される。
【００１５】
図２はこのコントローラ２の記憶装置に記憶されている端末情報の一例を示すデータテーブル１０である。このデータテーブル１０は、壁スイッチ６等のスイッチからの点，消灯や調光等の制御操作指令信号を受けて、コントローラ２により制御される端末である照明器具３，３，…、人感センサ４および光センサ５と、壁スイッチ６等のスイッチのアドレス、グループ番号を有する。これら端末情報１０は、例えば予め工場出荷時に設定され、コントローラ２の記憶手段に記憶されている。アドレスは、各制御端末、例えば照明器具３の点，消灯、調光等の制御を各照明器具３毎に制御する場合に、その照明器具３を特定するために使用される。
【００１６】
グループ番号は、例えば複数の照明器具３，３，…等の端末に、同一番号を付与することにより、複数のグループにグルーピング（グループ化）し、同一のグループ番号毎、すなわち、同一のグループ毎に、同一の制御をする場合に使用される。なお、工場出荷時に付与されたグループ番号は、仮に設定されたデフォルト値（標準値）であって、照明器具３等端末が所要の建屋８等の照明エリアに実際に配設された後に、当該照明エリアの現場等において設定器７により改めて設定し、または変更される。
【００１７】
図１に示すように設定器７は、ＣＰＵ（中央処理装置）、ＲＡＭ、ＲＯＭを具備したコンピュータシステムよりなり、信号線１１によりコントローラ２に接続されたときに、コントローラ２の記憶装置から上記端末情報等を読み込む読込み手段（図示省略）と、この読み込んだ端末情報１０を図３で示す端末情報サブウインドウ１２として表示部の一例であるモニタ（図示省略）に表示する表示手段を有する。
【００１８】
設定器７は、照明制御システム１が配設された所望の建屋８の照明エリア１５を、例えば平面図で示すレイアウト図１４として予め工場等で作成し、記録した記録媒体、例えばメモリスティック（登録商標、図示省略）を着脱可能に挿入し得るスリットを有する。このメモリスティックに記録されたレイアウト図１４は読込み手段により読み出され、モニタに表示される。
【００１９】
図４に示すように端末情報サブウインドウ１２は、設定器７の読込み手段により読み込まれた端末情報１０が設定器７のモニタに表示され、またはレイアウト図１４と共に、サブウインドウとして表示される。
【００２０】
端末情報サブウインドウ１２は、図２で示す端末情報１０と同様に、照明器具３，３，…や人感センサ４等の各端末のアドレス、種別、グループをそれぞれ表示する各表示ボックス１２ａを有する。また、端末情報サブウインドウ１２は、アップダウンスイッチボタン１２ｂ、器具ボタン１２ｃ、点灯ボタン１２ｄ、消灯ボタン１２ｅ、割付ボタン１２ｆおよび削除ボタン１２ｇの各表示ボタンを有する。
【００２１】
アップダウンスイッチボタン１２ｂは、メモリに記録された端末情報１０の次頁または前頁をモニタに表示させる。器具ボタン１２ｃは、そのクリックによる押圧操作時に複数の端末情報１０の中で照明器具３の端末情報１０を選択的に読み出しモニタに表示させる。
【００２２】
点灯ボタン１２ｄは、そのクリックによる押圧操作により、端末情報サブウインドウ１２の種別の表示ボックス１２ａに表示中の照明器具３，３，…または人感センサ４、光センサ５および壁スイッチ６の表示用ランプ４ａ，５ａ，６ａのいずれかを点灯させる点灯操作信号をコントローラ２に与え、これら照明器具３，３，…またはこれら表示用ランプ４ａ，５ａ，６ａのいずれかを点灯させることにより、照明器具３，３，…、または人感センサ４、光センサ５および壁スイッチ６のいずれかの各配設箇所を目視可能にする。
【００２３】
また、消灯ボタン１２ｅは、そのクリックによる押圧操作により、点灯中の照明器具３，３，…または人感センサ４、光センサ５および壁スイッチ６の表示用ランプ４ａ，５ａ，６ａのいずれかを消灯させる消灯操作信号をコントローラ２に与え、照明器具３，３，…または、人感センサ４、光センサ５および壁スイッチ６のいずれかを消灯させる。
【００２４】
割付ボタン１２ｆは、そのクリックによる押圧操作により、図４に示すように端末情報サブウインドウ１２の種別の表示ボックス１２ａに表示中の端末３〜６の端末情報を、クリックした所望の未割当のアイコン１６に割り付ける。
【００２５】
削除ボタン１２ｇは、一旦、端末情報１０を未割当のアイコン１６に割り当てた後、この割当を変更や削除する場合に使用することができる。
【００２６】
すなわち、割当て済みのアイコン１６をクリックして選択してから削除ボタン１２ｇをクリックすることにより、そのアイコン１６を再び未割当のアイコン１６に戻すと共に、その割り当てられていた端末情報１０を端末情報サブウインドウ１２として再び表示させ、再割当を可能にすることができる。すなわち、削除ボタン１２ｇは再表示手段（再表示機能）を具備している。
【００２７】
図４は設定器７のモニタに表示されたモニタ画面１３を示す。このモニタ画面１３はレイアウト図１４の一例と図３で示す端末情報サブウインドウ１２とを共に表示する。図４中、１５はレイアウト図１４で示す建屋８内の照明エリア、１５ａは、照明エリアの外枠、１５ｂは照明エリア１５の例えばほぼ中央部に配置されたエレベータウェル、１５ｃは照明エリア１５の外枠１５ａ内を複数の仕切壁１５ｄ，１５ｄ，…により仕切られた複数の部屋である。
【００２８】
そして、レイアウト図１４は、図４中、例えば小円形で示す制御監視ポイントの一例である所要形状の複数の未割当のアイコン１６，１６，…を照明エリア１５内の所要の位置にそれぞれ配置している。これら未割当のアイコン１６，１６，…は、まだ端末情報１０が割り当てられていない未割当のアイコンであり、工場出荷時、または照明エリア１５の現場で、予め設定され、メモリスティック（登録商標）に記録されている。
【００２９】
図５は、これら未割当のアイコン１６に、これら未割当のアイコン１６，１６，…の位置に相当する位置に、実際に配置されている照明器具３，３等の端末の端末情報１０を、関連付け、割り当てる割当用プログラムのフローチャートを示す。この割当用プログラムは設定器７の例えばＲＯＭに記録され、ＣＰＵは、この割当用プログラムを実行することにより割当手段に構成されている。
【００３０】
次に、図５に基づいて割当用プログラムを説明する。図５中、Ｓ１〜Ｓ８はフローチャートの各ステップを示す。
【００３１】
まず、設定器７は、そのＣＰＵにより、割当用プログラムを起動してスタートさせると、Ｓ１で、設定器７の図示しないメモリスティック挿入用スリットに挿入されているメモリスティックからレイアウト図１４を読み込む。
【００３２】
次のＳ２で、このレイアウト図１４を図４に示すように設定器７のモニタに表示する。
【００３３】
この後、Ｓ３で、レイアウト図１４上の任意の箇所に複数の未割当のアイコン１６，１６，…を配置する。
【００３４】
次に、Ｓ４で、図１に示すように設定器７を信号線１１によりコントローラ２に接続する。
【００３５】
この後、Ｓ５で、コントローラ２の記憶装置に記憶されている各端末３〜６の端末情報１０を設定器７の読込み手段によりそれぞれ読み込み、次のＳ６で、所要種別の１台分の端末情報１０を設定器７のモニタに、図４で示すように端末情報サブウインドウ１２として表示する。
【００３６】
次のＳ６で、端末情報サブウインドウ１２のアップダウンスイッチ１２ｂのクリック操作によるアップまたはダウン操作で、これから割り付けようとする端末情報１０のページを選択する。すると、その選択された端末情報１０の１台分の端末の種別、すなわち、照明器具３、人感センサ４、光センサ５、壁スイッチ６のいずれかと、そのアドレスおよびグループ番号が各表示ボックス１２ａ，１２ａにそれぞれ表示される。
【００３７】
ここで、例えば器具ボタン１２ｃがクリックにより押圧操作されると、種別の表示ボックス１２ａに、複数台中の所要の照明器具が表示され、その照明器具３のアドレスとグループ番号が各々の表示ボックス１２ａ，１２ａに表示される。ここで、グループ番号は工場出荷時に設定されたデフォルト値であるので、必要に応じてデフォルト値を変更することができる。
【００３８】
また、この端末情報サブウインドウ１２に表示された１台の照明器具３の配設箇所を特定するために、例えば設定器７をこの照明器具３の配設箇所の照明エリア１５内に持ち込み、点灯ボタン１２ｄをクリックし、照明器具３を点灯させる。
【００３９】
これにより、照明器具３の位置が特定されるので、この位置に相当する位置にあるモニタ画面１３上の未割当のアイコン１６をＳ７でクリックし、割付ボタン１２ｉをクリックする。
【００４０】
すると、次のＳ８で、この未割当のアイコン１６に、端末情報サブウインドウ１２に表示中の照明器具３の端末情報が割り付けられる。これにより、未割当のアイコン１６の形状または色が変化し、割当済みであることが表示される。
【００４１】
この後、Ｓ９で、コントローラ２に接続されている全部の端末３〜６の端末情報を、これら端末３〜６の実際の配設箇所に相当する位置に表示されているレイアウト図１４上の未割当のアイコン１６，１６，…をそれぞれクリックすることにより割り当てる。
【００４２】
すなわち、アップダウンスイッチ１２ｂのアップまたはダウン操作により、これら端末３〜６の所要の端末情報１０を順次読み出し、端末情報サブウインドウ１２として表示させる。例えば人感センサ４の端末情報１０を端末情報サブウインドウ１２として表示させた後に、点灯ボタン１２ｄをクリックする。
【００４３】
すると、この人感センサ４の表示用ランプ４ａが点灯するので、この人感センサ４の実際の設置箇所を目視で確認できる。
【００４４】
そこで、割付ボタン１２ｆをクリックしてから、この人感センサ４の実際の設置箇所に相当する位置に表示されているレイアウト図１４上の未割当のアイコン１６をクリックする。すると、この人感センサ４の端末情報が、この人感センサ４の実際の設置箇所に相当する位置に表示されている未割当のアイコン１６に割り当てられる。こうして全部の端末３〜６の端末情報１０を未割当のアイコン１６へ順次割り当てる。
【００４５】
図６は、この端末情報１０割当て後、設定器７の記憶装置に記憶される一方、コントローラ２の記憶装置に与えられ、記憶される設定情報１７のデータテーブルの一例を示す。なお、設定情報１７中のＸ，Ｙは、アイコン１６のＸ−Ｙ座標の位置を示す。こうして所要の照明エリア１５の端末情報１０の割当て後は、他の照明エリアに配設されている端末３〜６の端末情報１０の割当てを、上記割当て方法により順次行う。
【００４６】
これら割当情報とグループ番号の設定等の設定情報１７は設定器７の記憶装置に記憶される一方、コントローラ２に与えられ、その記憶装置に記憶され、保存される。
【００４７】
次に、この照明制御システム１の作用を説明する。
【００４８】
壁スイッチ６で所要の照明器具３を、例えば個別に点灯させる点灯操作を行うと、その照明器具３を特定するための個別アドレスを含む点灯操作信号が伝送信号線９を介してコントローラ２に与えられる。
【００４９】
コントローラ２は、その点灯操作信号を受けたときに、コントローラ２の記憶装置に記憶されている端末情報１０等の設定情報１７を参照して点灯すべき照明器具３のアドレスを特定し、その特定されたアドレスの照明器具３に、伝送信号線９を介して点灯制御信号を与え、この照明器具を点灯させる。
【００５０】
これと同様に、この壁スイッチ６により、所要の照明器具３の消灯または調光が操作されると、この操作信号は、これら消灯または調光操作信号が消灯または調光すべき照明器具３のアドレスと共に、伝送信号線９を介してコントローラ２に与えられる。
【００５１】
コントローラ２は、その消灯または調光の操作信号を受けたときに、上記端末情報１０を含む設定情報１７を参照して、消灯または調光すべき照明器具３を特定し、この特定した照明器具３に、消灯または調光制御信号を与え、消灯または調光する。
【００５２】
そして、壁スイッチ６において、点灯，消灯，調光等の制御操作と共に、照明器具３のグループを選択するグループ制御が選択されたときは、その操作信号とグループ選択信号が伝送信号線９を介してコントローラ２に与えられる。
【００５３】
コントローラ２は、これら操作信号とグループ選択信号を受けて、上記端末情報１０を含む設定情報１７を参照し、グループ番号が同一の各照明器具３に伝送信号線９を介して制御信号をそれぞれ与え、これらをグループ毎に、点灯，消灯，調光等の制御を行う。
【００５４】
そして、所要の照明エリア１５内に人がいると、その人の存在を人感センサ４が検出し、人検出信号がこの人感センサ４のアドレスと共に伝送信号線９を介してコントローラ２に与えられる。
【００５５】
コントローラ２は、その人検出信号を受けたときに、端末情報１０を参照し、その人検出信号を受けたときに、予め点灯すべき照明器具３として設定されているアドレスの照明器具３に点灯信号を与え、点灯させる。
【００５６】
また、光センサ５により検出された明るさ検出信号は、その光センサ５のアドレスと共に、伝送信号線９を介してコントローラ２に与えられ、予め設定された明るさの設定値で一定するように照明器具３の調光をフィードバック制御するために使用される。
【００５７】
そして、この照明制御システム１によれば、コントローラ２に記録されている端末情報１０を、設定器７のモニタ画面１３上に、端末情報サブウインドウ１２としてレイアウト図１４と共に表示しているときに、割付ボタン１２ｆを単にクリックし、レイアウト図１４上の所要の未割当のアイコン１６をクリックすることにより、このモニタ画面１３上に表示中の端末３〜６のいずれかの端末情報１０をこの選択された未割当のアイコン１６に簡単かつ迅速に割り付けることができる。
【００５８】
すなわち、端末情報サブウインドウ１２を、割り付けしようとする未割当のアイコン１６まで、モニタ画面１３上でドラッグアンドドロップして割り当てる場合に比して、その割当作業の簡単迅速化を図ることができる。
【００５９】
また、ドラッグアンドドロップにより、端末情報１０の割当てを行う場合には、そのドラッグの途中で端末情報１０がドロップしてしまうこともあり、割当精度も低い。
【００６０】
しかし、本実施形態では、上述したように単に、割付ボタン１２ｆと未割当のアイコン１６とをクリックすることにより、端末情報１０を未割当のアイコン１６へ割当てることができ、ドラッグアンドドロップをしないので、割当精度の向上も図ることができる。
【００６１】
これら効果は、大規模ビル等照明器具３，３，…が多数配設されている場合のように、規模が大きくなるに従って、顕著に優れた効果となる。
【００６２】
また、未割当のアイコン１６に端末情報１０を割り当てた後は、単に、削除ボタン１２ｇをクリックすることにより、その割当てを削除することができる。これにより、端末情報１０の再割当てを簡単かつ迅速に行うことができる。
【００６３】
さらに、この照明制御システム１によれば、設定器７は、照明器具３，３，…、人感センサ４、光センサ５、壁スイッチ６の表示用ランプ４ａ，５ａ，６ａを、点灯させる点灯ボタン１２ｄと消灯させる消灯ボタン１２ｅを具備しているので、これら照明器具３，３，…、人感センサ４、光センサ５、壁スイッチ６の実際の配設箇所を目視により確認することができる。
【００６４】
このために、これら端末３〜６の実際の配設箇所と、レイアウト図１４上のアイコン１６，１６，…の配置と、がほぼ一致する一致精度の向上を図ることができる。このために、割当後のレイアウト図１４上のアイコン１６の位置精度の向上を図ることができる。
【００６５】
また、端末情報１０の割当て済みのアイコン１６を選択し、削除ボタン１２ｇをクリックすると、再表示手段により、この割当て済みのアイコン１６が未割当のアイコン１６に戻り、端末情報１０がモニタ画面１３上に表示されるので、その再割当ての作業性の向上を図ることができる。
【００６６】
なお、上記実施形態によれば、設定器７のアップダウンスイッチ１２ｂのアップダウン操作により端末情報１０のページを前後させる場合について説明したが、本発明はこれに限定されるものではなく、例えば端末情報１０を未割当のアイコン１６に割り当てたときは、この割当て済みの端末情報１０をモニタ画面１３上から消去し、次のページの端末情報１０を端末情報サブウインドウ１２に表示させるように構成してもよい。
【００６７】
これによれば、端末情報１０の端末情報サブウインドウ１２の割当て後に、次頁の端末情報１０を読み出し、表示するためのアップダウンスイッチ１２ｂのアップダウン操作を省略できる。その分、割当作業のさらなる簡単迅速化を図ることができる。
【００６８】
以上、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００６９】
１…照明制御システム、２…コントローラ（制御装置）、３…照明器具、４…人感センサ、５…光センサ、６…壁スイッチ、７…設定器、１０…端末情報、１２…端末情報サブウインドウ、１２ｂ…アップダウンスイッチ、１２ｃ…器具ボタン、１２ｄ…点灯ボタン、１２ｅ…消灯ボタン、１２ｆ…割付ボタン、１２ｇ…削除ボタン、１３…モニタ画面、１４…レイアウト図、１５…照明エリア、１６…未割当のアイコン。
【図１】
0005652144.tif 000002
【図２】
0005652144.tif 000003
【図３】
0005652144.tif 000004
【図４】
0005652144.tif 000005
【図５】
0005652144.tif 000006
【図６】
0005652144.tif 000007